(57)【要約】【課題】壁面の広い範囲に均一に光を照射するとともに、グレアが生じる事態を防止することのできるウォールウォッシャー型照明装置を提供する。【解決手段】ウォールウォッシャー型照明装置１０は、天井面３０に設置され、天井面３０に交差する壁面３２に光を照射する。ウォールウォッシャー型照明装置１０は、天井面３０方向に光を出射するよう配置されたＬＥＤ１２と、ＬＥＤ１２から出射された光を、壁面３２における天井面３０に近い近傍領域Ａｎに向けて拡散して反射する第１反射面２４と、ＬＥＤ１２から出射された光を、壁面３２における天井面３０から遠い遠方領域Ａｆに向けて反射する回転放物面状の第２反射面２６とを備える。【選択図】図３
2018129199.tif 000002
【特許請求の範囲】
【請求項１】
設置面に設置され、前記設置面に交差する照射対象物に光を照射するウォールウォッシャー型照明装置であって、
前記設置面方向に光を出射するよう配置された光源と、
前記光源から出射された光を、前記照射対象物における前記設置面に近い近傍領域に向けて拡散して反射する第１反射面と、
前記光源から出射された光を、前記照射対象物における前記設置面から遠い遠方領域に向けて反射する回転放物面状の第２反射面と、
を備えることを特徴とするウォールウォッシャー型照明装置。
【請求項２】
前記第２反射面は、前記第１反射面で反射した光の一部を、前記照射対象物における前記近傍領域と前記遠方領域の間の中間領域に向けて反射することを特徴とする請求項１に記載のウォールウォッシャー型照明装置。
【請求項３】
前記第２反射面は、前記光源から出射された光のうち光度が高い光を前記遠方領域に向けて反射するとともに、前記光源から出射された光のうち光度が低い光を前記中間領域に向けて反射することを特徴とする請求項２に記載のウォールウォッシャー型照明装置。
【請求項４】
前記第１反射面は、前記光源の光軸と交差するように配置されることを特徴とする請求項１から３のいずれかに記載のウォールウォッシャー型照明装置。
【請求項５】
前記第２反射面は、放物面の中心軸が前記光源の光軸に対して傾斜するように配置されることを特徴とする請求項１から４のいずれかに記載のウォールウォッシャー型照明装置。
【発明の詳細な説明】
【技術分野】
【０００１】
本発明は、照明装置に関し、特に壁面等を照明するウォールウォッシャー型照明装置に関する。
【背景技術】
【０００２】
従来より、壁面等を均一に照明するよう設計されたウォールウォッシャー型照明装置が知られている（例えば、特許文献１参照）。
【先行技術文献】
【特許文献】
【０００３】
【特許文献１】特開２０１１−４０２９９号公報
【発明の概要】
【発明が解決しようとする課題】
【０００４】
ウォールウォッシャー型照明装置においては、壁面の高さ方向の広い範囲に均一に光が照射されることが必要である。また、壁面の近傍に居る人に対してグレアを与えないことが必要である。
【０００５】
本発明はこうした状況に鑑みてなされたものであり、その目的は、壁面等の照射対象物の広い範囲に均一に光を照射するとともに、グレアが生じる事態を防止することのできるウォールウォッシャー型照明装置を提供することにある。
【課題を解決するための手段】
【０００６】
上記課題を解決するために、本発明のある態様のウォールウォッシャー型照明装置は、設置面に設置され、設置面に交差する照射対象物に光を照射するウォールウォッシャー型照明装置であって、設置面方向に光を出射するよう配置された光源と、光源から出射された光を、照射対象物における設置面に近い近傍領域に向けて拡散して反射する第１反射面と、光源から出射された光を、照射対象物における設置面から遠い遠方領域に向けて反射する回転放物面状の第２反射面と、を備える。
【０００７】
第２反射面は、第１反射面で反射した光の一部を、照射対象物における近傍領域と遠方領域の間の中間領域に向けて反射してもよい。
【０００８】
第２反射面は、光源から出射された光のうち光度が高い光を遠方領域に向けて反射するとともに、光源から出射された光のうち光度が低い光を中間領域に向けて反射してもよい。
【０００９】
第１反射面は、光源の光軸と交差するように配置されてもよい。
【００１０】
第２反射面は、放物面の中心軸が光源の光軸に対して傾斜するように配置されてもよい。
【００１１】
なお、以上の構成要素の任意の組合せ、本発明の表現を装置、方法、システムなどの間で変換したものもまた、本発明の態様として有効である。
【発明の効果】
【００１２】
本発明によれば、壁面等の照射対象物の広い範囲に均一に光を照射するとともに、グレアが生じる事態を防止することのできるウォールウォッシャー型照明装置を提供できる。
【図面の簡単な説明】
【００１３】
【図１】本発明の実施形態に係るウォールウォッシャー型照明装置の斜視図である。
【図２】ウォールウォッシャー型照明装置の光学系の構成を説明するための断面図である。
【図３】ウォールウォッシャー型照明装置により形成される配光について説明するための図である。
【図４】ウォールウォッシャー型照明装置の光線追跡シミュレーション結果を示す図である。
【発明を実施するための形態】
【００１４】
図１は、本発明の実施形態に係るウォールウォッシャー型照明装置１０の斜視図である。
【００１５】
ウォールウォッシャー型照明装置１０は、主にウォールウォッシャー照明に利用可能である。ウォールウォッシャー照明は、一般に間接照明の手法として行われるもので、あたかも水で洗い流すかのように壁面全体に均一に光を照射する照明手法である。
【００１６】
本実施形態のウォールウォッシャー型照明装置１０は、例えば天井面等の設置面に設置され、該設置面に交差する壁面に光を照射する。ウォールウォッシャー型照明装置１０は、光源としてのＬＥＤ１２と、ＬＥＤ１２を搭載する基板１４と、ＬＥＤ１２から出射される光を反射するリフレクタ１６と、ＬＥＤ１２に電流を供給するための給電コネクタ１８と、基板１４、リフレクタ１６および給電コネクタ１８等を収容する筐体２０とを備える。
【００１７】
図１に示すように、本実施形態のウォールウォッシャー型照明装置１０は、ＬＥＤ１２およびリフレクタ１６とから成る光学系２２が複数個（ここでは５個）一列に配置されている。各光学系２２は、壁面の高さ方向の広い範囲に光を照射するものである。複数個の筐体２０を一列に配置することにより、高さ方向に加えて、壁面の横方向の広い範囲を照射することが可能となる。
【００１８】
図２は、ウォールウォッシャー型照明装置１０の光学系２２の構成を説明するための断面図である。図２では、筐体等については図示を省略している。図２では、ウォールウォッシャー型照明装置は天井面３０を設置面としており、天井面３０と直交する壁面３２に光を照射する。
【００１９】
上述したように、ウォールウォッシャー型照明装置１０の光学系２２は、ＬＥＤ１２と、ＬＥＤ１２から出射される光を反射するリフレクタ１６とを備える。
【００２０】
ＬＥＤ１２は、例えば白色光を発光するものであってよい。ＬＥＤ１２は、青色ＬＥＤチップと黄色発光体を備えるものであってよい。青色ＬＥＤチップからの青色発光を用いて、その一部で黄色蛍光体を励起発光させることにより、青色光と黄色光の混色で白色光を作り出すことができる。
【００２１】
本実施形態において、ＬＥＤ１２は、天井面３０の方向に光を出射するよう配置される。ＬＥＤ１２の光軸Ａｘ１は、天井面３０に対して直交している。言い換えると、ＬＥＤ１２の光軸Ａｘ１は壁面３２と平行である。
【００２２】
本実施形態において、リフレクタ１６は、２つの異なる反射面（第１反射面２４および第２反射面２６）から構成されている。
【００２３】
第１反射面２４は、ＬＥＤ１２の光軸Ａｘ１と交差するとともに、ＬＥＤ１２の出射面１２ａを覆うように配置される。第１反射面２４は、その表面には不規則な微細な凹凸が形成されており、ＬＥＤ１２からの光を拡散して反射する拡散反射面として構成されている。拡散反射面は、例えばつや消し塗料を塗ることにより形成されてもよいし、あるいはシボ加工を施すことにより形成されてもよい。
【００２４】
第２反射面２６は、第１反射面２４の上端部から壁面３２に向かって斜め下方に延びるように配置される。第２反射面２６は、回転放物面状の反射面である。第２反射面２６は、その焦点ＦがＬＥＤ１２の出射面１２ａの中心に位置するように配置される。また、第２反射面２６は、回転放物面の中心軸Ａｘ２がＬＥＤ１２の光軸Ａｘ１に対して傾斜するように配置される。また、第２反射面２６は、第１反射面２４との境界部２６ａから中心軸Ａｘ２と平行に延びる線Ｌ１が、ＬＥＤ１２の端部１２ｂの外側を通るように配置される。
【００２５】
図３は、ウォールウォッシャー型照明装置１０により形成される配光について説明するための図である。上述したように、ＬＥＤ１２は、天井面３０の方向に光を出射する。第１反射面２４は、ＬＥＤ１２から出射された光の一部を直接、壁面３２における天井面３０に近い近傍領域Ａｎに向けて拡散して反射する。第２反射面２６は、ＬＥＤ１２から出射された光の一部（ＬＥＤ１２から出射された光のうち光度が高い光）を直接、壁面３２における天井面３０から遠い遠方領域Ａｆに向けて反射する。
【００２６】
また、第２反射面２６は、第１反射面２４で反射した光の一部を、壁面３２における近傍領域Ａｎと遠方領域Ａｆの間の中間領域Ａｍに向けて反射する。さらに、第２反射面２６は、ＬＥＤ１２から出射された光のうち光度が低い光を直接、中間領域Ａｍに向けて反射する。
【００２７】
図４は、ウォールウォッシャー型照明装置１０の光線追跡シミュレーション結果を示す。図４において、実線は第１反射面２４で反射した光を表す。また、破線は第２反射面２６で反射した光を表す。図４の光線追跡シミュレーション結果から、本実施形態に係るウォールウォッシャー型照明装置１０は、壁面の高さ方向の広い範囲に略均一に光を照射できていることが分かる。
【００２８】
以上説明したように、本実施形態に係るウォールウォッシャー型照明装置１０によれば、拡散反射面である第１反射面２４と回転放物面状の第２反射面２６という異なる２つの反射面を有するリフレクタ１６を用いることにより、壁面３２の高さ方向の広い範囲に対して均一に光を照射することができる。
【００２９】
また、本実施形態に係るウォールウォッシャー型照明装置１０では、ＬＥＤ１２は、設置面である天井面３０の方向に光を出射している。従って、壁面の近傍に居る人の眼にＬＥＤ１２からの直射光が入ることはなく、グレアを防止できる。
【００３０】
以上、本発明を実施の形態をもとに説明した。本実施の形態は例示であり、それらの各構成要素の組合せにいろいろな変形例が可能なこと、またそうした変形例も本発明の範囲にあることは当業者に理解されるところである。
【００３１】
上述の実施形態では、壁面を照明する場合を例としてウォールウォッシャー型照明装置１０を説明したが、ウォールウォッシャー型照明装置１０は、例えば柱をウォールウォッシャー照明するために用いることもできる。
【００３２】
また、上述の実施形態では、天井面３０を設置面としたが、設置面は天井面３０に限られず、例えば地面や床面であってもよい。この場合、ウォールウォッシャー型照明装置１０は下方から上方に向けて光を照射することになるが、ＬＥＤ１２からの直射光は地面や床面に向けて出射されるので、壁面の近傍に居る人の眼にＬＥＤ１２からの直射光が入ることはなく、グレアを防止できる。
【符号の説明】
【００３３】
１０  ウォールウォッシャー型照明装置、  １２  ＬＥＤ、  １４  基板、  １６  リフレクタ、  １８  給電コネクタ、  ２０  筐体、  ２２  光学系、  ２４  第１反射面、  ２６  第２反射面、  ３０  天井面、  ３２  壁面。
【図１】
2018129199.tif 000003
【図２】
2018129199.tif 000004
【図３】
2018129199.tif 000005
【図４】
2018129199.tif 000006